(57)【要約】【課題】  サブスタッカを引き出して使用するスタッカの操作性を向上させること。【解決手段】  プリンタ本体に対して回動自在に設けられ、回動することにより、非使用状態と使用状態とを切り換える、メインスタッカ７及び当該メインスタッカ７から引き出されるサブスタッカ８を備えて構成されたスタッカ６において、装置本体側に設けられた永久磁石３７と引き寄せ合い又は反発する永久磁石３５がサブスタッカ８に設けられている。永久磁石３７と永久磁石３５は、その位置関係が、非使用状態においてＮ極３５ｂとＳ極３７ａとが最も近接し、使用状態においては、Ｎ極３５ｂとＮ極３７ｂとが最も近接する様に配設され、非使用状態においてはサブスタッカ８がメインスタッカ７に保持され、使用状態においてはサブスタッカ８がメインスタッカ７から進出する。【選択図】図５
2005170615.tif 000002
【特許請求の範囲】
【請求項１】
被記録媒体に記録を行う記録装置における被記録媒体排出手段の下流側に回動自在に設けられ、回動することにより、非使用状態と使用状態とを切り換える、メインスタッカ及び当該メインスタッカから引き出される少なくとも一以上のサブスタッカを備えて構成された被記録媒体スタッカであって、
前記記録装置の装置本体側における前記被記録媒体スタッカの回動軸線近傍に設けられた第１の磁石と引き寄せ合い又は反発する第２の磁石を前記サブスタッカに備え、
前記第１の磁石と前記第２の磁石との位置関係が、前記非使用状態において異なる磁極が最も近接し、且つ、前記使用状態において同じ磁極が最も近接するように、前記第１のおよび第２の磁石が配設されている、
ことを特徴とする被記録媒体スタッカ。
【請求項２】
被記録媒体に記録を行う記録装置における被記録媒体排出手段の下流側に回動自在に設けられ、回動することにより、非使用状態と使用状態とを切り換える、メインスタッカ及び当該メインスタッカから引き出される少なくとも一以上のサブスタッカを備えて構成された被記録媒体スタッカであって、
前記被記録媒体スタッカの基端側の回動領域に対向しつつ、前記記録装置の装置本体側に設けられた第１の磁石と引き寄せ合い又は反発する第２の磁石を前記サブスタッカに備え、
前記第１の磁石と前記第２の磁石との位置関係が、前記非使用状態において異なる磁極が最も近接し、且つ、前記使用状態において同じ磁極が最も近接するように、前記第１のおよび第２の磁石が配設されている、
ことを特徴とする被記録媒体スタッカ。
【請求項３】
請求項１または２において、前記非使用状態から前記使用状態に回動すると、前記第１の磁石と前記第２の磁石との反発力により、前記サブスタッカが前記メインスタッカから進出することを特徴とする被記録媒体スタッカ。
【請求項４】
請求項１から３のいずれか１項において、前記磁石が永久磁石であることを特徴とする被記録媒体スタッカ。
【請求項５】
請求項１から３のいずれか１項において、前記第１の磁石が電磁石であるとともに、前記記録装置の電源が投入されることで磁極が発現する様に構成されている、
ことを特徴とする被記録媒体スタッカ。
【請求項６】
被記録媒体に記録を行う記録装置であって、請求項１から５のいずれか１項に記載された前記被記録媒体スタッカを備えていることを特徴とする記録装置。
【請求項７】
被噴射媒体に液体噴射を行う液体噴射ヘッドと、
被噴射媒体を排出する被噴射媒体排出手段の下流側に回動自在に設けられ、回動することにより、非使用状態と使用状態とを切り換える、メインスタッカ及び当該メインスタッカから引き出される少なくとも一以上のサブスタッカを備えて構成された被噴射媒体スタッカと、を備えた液体噴射装置であって、
前記液体噴射装置の装置本体側における前記被噴射媒体スタッカの回動軸線近傍に設けられた第１の磁石と引き寄せ合い又は反発する第２の磁石を前記サブスタッカに備え、
前記記録装置の装置本体側における前記被記録媒体スタッカの回動軸線近傍に設けられた第１の磁石と引き寄せ合い又は反発する第２の磁石を前記サブスタッカに備え、
前記第１の磁石と前記第２の磁石との位置関係が、前記非使用状態において異なる磁極が最も近接し、且つ、前記使用状態において同じ磁極が最も近接するように、前記第１のおよび第２の磁石が配設されている、
ことを特徴とする液体噴射装置。
【発明の詳細な説明】
【技術分野】
【０００１】
本発明は、記録媒体に記録を行う記録装置における被記録媒体排出手段の下流側に回動自在に設けられ、回動することにより、非使用状態使用状態とを切り替える、メインスタッカ及び当該メインスタッカから引き出される少なくとも一以上のサブスタッカを備えて構成された被記録媒体スタッカ及び、該被記録媒体スタッカを備えた記録装置に関する。また、本発明は、液体噴射装置に関する。
【０００２】
ここで、液体噴射装置とは、インクジェット式記録ヘッドが用いられ、該記録ヘッドからインクを吐出して被記録媒体に記録を行うプリンタ、複写機およびファクシミリ等の記録装置に限らず、インクに代えてその用途に対応する液体を前記インクジェット式記録ヘッドに相当する液体噴射ヘッドから被記録材に相当する被噴射媒体に噴射して、前記液体と前記被噴射媒体に付着させる装置を含む意味で用いる。
【０００３】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【背景技術】
【０００４】
Ｆａｘ、プリンタ等に代表される記録装置においては、被記録媒体の一例としての印刷用紙に記録を行った後、印刷用紙を排出する排出手段によって被記録媒体を排出し、そして排出手段の下流側に設けられたスタッカ上に印刷用紙を順次堆積させる様に構成されている。この様なスタッカとしては、装置本体に対して回動可能に設けられ、回動することにより、例えば略垂直な姿勢をとって収納状態となる非使用状態と、水平姿勢からやや斜め上方を向くような姿勢によって、排出される印刷用紙を支持する使用状態とを変化することのできるメインスタッカに、少なくとも一以上のサブスタッカを引き出し可能に備えたものがある。そして、使用時には、前記サブスタッカを前記メインスタッカから引き出すことにより、印刷用紙を支持する支持面が展開され、サイズの大きい印刷用紙でも支持することができる様に構成されている（例えば、特許文献１参照）。
【０００５】
【特許文献１】特開２００３−９５５１０公報
【発明の開示】
【発明が解決しようとする課題】
【０００６】
上述の従来技術に係るスタッカにおいては、非使用時にはサブスタッカがメインスタッカに収納された状態にあり、使用する際にその都度手で引き出す必要がある為、必ずしもユーザフレンドリとはなっていなかった。  
そこで本発明はこの様な状況に鑑みなされたものであり、その課題は、サブスタッカをメインスタッカから引き出して使用するスタッカの操作性をより一層向上させることにある。
【課題を解決するための手段】
【０００７】
上記課題を解決する為に、本発明の第１の態様は、被記録媒体に記録を行う記録装置における被記録媒体排出手段の下流側に回動自在に設けられ、回動することにより、非使用状態と使用状態とを切り換える、メインスタッカ及び当該メインスタッカから引き出される少なくとも一以上のサブスタッカを備えて構成された被記録媒体スタッカであって、前記記録装置の装置本体側における前記被記録媒体スタッカの回動軸線近傍に設けられた第１の磁石と引き寄せ合い又は反発する第２の磁石を前記サブスタッカに備え、前記第１の磁石と前記第２の磁石との位置関係が、前記非使用状態において異なる磁極が最も近接し、且つ、前記使用状態において同じ磁極が最も近接するように、前記第１のおよび第２の磁石が配設されていることを特徴とする。
【０００８】
上記態様によれば、メインスタッカとサブスタッカとを備えて構成された被記録媒体スタッカにおいて、前記サブスタッカには、記録装置の装置本体側における、被記録媒体スタッカの回動軸線近傍に設けられた第１の磁石と引き寄せ合い又は反発する第２の磁石が設けられている。ここで、前記第１の磁石と第２の磁石との位置関係が、非使用状態において異なる磁極が最も近接するので、これによってサブスタッカが装置本体に引き寄せられ、以て、サブスタッカがメインスタッカに保持された状態が維持される。そして、非使用状態から回動して使用状態となると、同じ磁極が最も近接するので、これによってサブスタッカが装置本体から反発する方向、即ちメインスタッカから進出する方向の力が、サブスタッカに作用する。従ってこれにより、スタッカ使用時には容易にサブスタッカをメインスタッカから引き出すことができ、或いは、サブスタッカがメインスタッカから自動的に進出するので、スタッカの操作性を向上させることができる。
【０００９】
本発明の第２の態様は、被記録媒体に記録を行う記録装置における被記録媒体排出手段の下流側に回動自在に設けられ、回動することにより、非使用状態と使用状態とを切り換える、メインスタッカ及び当該メインスタッカから引き出される少なくとも一以上のサブスタッカを備えて構成された被記録媒体スタッカであって、前記被記録媒体スタッカの基端側の回動領域に対向しつつ、前記記録装置の装置本体側に設けられた第１の磁石と引き寄せ合い又は反発する第２の磁石を前記サブスタッカに備え、前記第１の磁石と前記第２の磁石との位置関係が、前記非使用状態において異なる磁極が最も近接し、且つ、前記使用状態において同じ磁極が最も近接するように、前記第１のおよび第２の磁石が配設されていることを特徴とする。
【００１０】
上記態様によれば、メインスタッカとサブスタッカとを備えて構成された被記録媒体スタッカにおいて、前記サブスタッカには、前記被記録媒体スタッカの基端側の回動領域に対向しつつ、前記記録装置の装置本体側に設けられた第１の磁石と引き寄せ合い又は反発する第２の磁石が設けられ、そして前記第１の磁石と第２の磁石との位置関係が、非使用状態において異なる磁極が最も近接し、非使用状態から回動して使用状態となると、同じ磁極が最も近接する様に配設されているので、上述した第１の態様と同様な作用効果を得ることができる。
【００１１】
本発明の第３の態様は、上記第１のまたは第２の態様において、前記非使用状態から前記使用状態に回動すると、前記第１の磁石と前記第２の磁石との反発力により、前記サブスタッカが前記メインスタッカから進出することを特徴とする。  
上記態様によれば、前記非使用状態から前記使用状態に回動すると、前記第１の磁石と前記第２の磁石との反発力により、前記サブスタッカが前記メインスタッカから進出するので、より一層操作性が向上する。
【００１２】
本発明の第４の態様は、上記第１から第２の態様のいずれかにおいて、前記磁石が永久磁石であることを特徴とする。  
上記態様によれば、前記磁石が永久磁石であるので、構造簡単にして且つ低コストに装置を構成することができる。
【００１３】
本発明の第５の態様は、上記第１から第３の態様のいずれかにおいて、前記第１の磁石が電磁石であるとともに、前記記録装置の電源が投入されることで磁極が発現する様に構成されていることを特徴とする。  
上記態様によれば、前記第１の磁石が電磁石であるとともに、前記記録装置の電源が投入されることで磁極が発現する様に構成されていることから、前記記録装置の非使用時には、前記被記録媒体スタッカが前記使用状態の姿勢となっても、不必要に前記サブスタッカが前記メインスタッカから進出する様なことがなく、ユーザフレンドリとなる。
【００１４】
本発明の第６の態様は、被記録媒体に記録を行う記録装置であって、上記第１から第５の態様のいずれかに記載された前記被記録媒体スタッカを備えていることを特徴とする。  
上記態様によれば、被記録媒体に記録を行う記録装置は上述した第１から第５の態様のいずれかに記載された前記被記録媒体スタッカを備えているので、記録装置において上述した第１から第５の態様のいずれかと同様な作用効果を得ることができる。
【００１５】
本発明の第７の態様は、被噴射媒体に液体噴射を行う液体噴射ヘッドと、被噴射媒体を排出する被噴射媒体排出手段の下流側に回動自在に設けられ、回動することにより、非使用状態と使用状態とを切り換える、メインスタッカ及び当該メインスタッカから引き出される少なくとも一以上のサブスタッカを備えて構成された被噴射媒体スタッカと、を備えた液体噴射装置であって、前記液体噴射装置の装置本体側における前記被噴射媒体スタッカの回動支点近傍に設けられた第１の磁石と引き寄せ合い又は反発する第２の磁石を前記サブスタッカに備え、前記第１の磁石と前記第２の磁石との位置関係が、前記非使用状態において異なる磁極が最も近接し、且つ、前記使用状態において同じ磁極が最も近接するように、前記第１のおよび第２の磁石が配設されていることを特徴とする。
【発明を実施するための最良の形態】
【００１６】
以下、本発明の実施の形態について図面を参照しながら説明する。  
先ず、図１及び図２を参照しながら本発明に係る「記録装置」、「液体噴射装置」の一例としてのインクジェットプリンタ（以下「プリンタ」と言う）１の概略構成について説明する。ここで、図１はプリンタ１の外観斜視図であり、図２はプリンタ１の側断面概略図である。
【００１７】
図１に示す様に、プリンタ１はボックス形の形状を成し、大凡、ビデオテープレコーダー程の大きさに成されていて、テレビラック等へ収納された状態で使用されることを想定して構成されている。外観は図示する様にボックス形のハウジング３の前面にスタッカ６が設けられて大略構成され、スタッカ６は、手前側に向けて開いた状態（使用状態：図３参照）と図示する様に閉じた状態（非使用状態）とを回動することによって変化する様に設けられ、開いた状態では、記録が行われた記録用紙の排出や、ディスクトレイ３３（図２参照）の出し入れ動作が可能となる。スタッカ６の下部には給紙カセット３０が着脱自在に設けられ、手前側に引き出して取り外すことにより、記録紙をセットすることができる。スタッカ６の上方にはインクカートリッジユニット１５が設けられ、ハウジング３とともにプリンタ１の上面を形成する。また、インクカートリッジユニット１５には、複数のインクカートリッジ１６（図２参照）がプリンタ１の幅方向に並列して着脱自在に設けられている。
【００１８】
続いて、図２を参照しながらプリンタ１の内部構成について概説する。プリンタ１は、上述した様に装置底部に給紙カセット３０を着脱自在に備えている。給紙カセット３０には複数枚の記録用紙Ｐが堆積状態にセット可能となっていて、その底部には、ホッパ３１が設けられている。ホッパ３１は揺動軸３１ａを中心に揺動可能に設けられ、図示しない駆動手段の駆動力を受けて揺動し、即ちセットされた記録用紙Ｐを下方から押し上げることにより、上部に設けられた給送ローラ２８に記録用紙Ｐの束を圧接させる。
【００１９】
給送ローラ２８は側面視略Ｄ形の形状を成し、外周は高摩擦部材（例えば、ゴム材）によって形成されている。記録用紙Ｐの給送時には給送ローラ２８の円弧部分に圧接した最上位の記録用紙Ｐが、給送ローラ２８の回転によって、下流側（図２の右側）へ給送される。また、給送ローラ２８の下部には、給送ローラ２８の円弧部分と圧接する摩擦分離手段（図示せず）が設けられていて、当該摩擦分離手段と給送ローラ２８との間で記録用紙Ｐを挟圧することにより、給送されるべき最上位の記録用紙Ｐと、重送されようとする次位以降の記録用紙Ｐとを分離する。
【００２０】
給送ローラ２８の下流側には搬送用モータ（図示せず）によって回転駆動される搬送駆動ローラ２１と、該ローラに接して従動回転する搬送従動ローラ２２とが設けられ、これらローラによって記録用紙Ｐをニップし且つ搬送駆動ローラ２１が回転駆動されることにより、記録用紙Ｐが記録ヘッド１４の下へ搬送される。
【００２１】
搬送駆動ローラ２１の下流側には記録ヘッド１４とプラテン２０とが上下に対向する様に設けられ、搬送された記録用紙Ｐは、プラテン２０によって下から支持された状態において、記録ヘッド１４から「液体」としてのインク滴が吐出されることにより、記録が行われる。記録ヘッド１４はキャリッジ１３の底部に設けられているが、主走査方向に往復動する当該キャリッジ１３にはインクカートリッジが搭載されておらず、キャリッジ１３の主走査領域の上部に、上述した様に複数のインクカートリッジ１６が、主走査方向に並列して着脱自在に配設されている。そして、図示を省略するインク流通路を介してキャリッジ１３へとインクが供給される様になっている。
【００２２】
キャリッジ１３は、主走査方向に延びる主キャリッジガイド軸１１及び副キャリッジガイド軸１２によって主走査方向にガイドされる。主キャリッジガイド軸１１はキャリッジ１３の後部を挿通し、副キャリッジガイド軸１２はキャリッジ１３の前部を下から支持して、これによって記録ヘッド１４と記録用紙Ｐとの間の距離が規定される。  
記録ヘッド１４の下流側には搬送用モータ（図示せず）によって回転駆動される排出駆動ローラ２３と該ローラに接して従動回転する排出従動ローラ２４とを備えて構成された排出手段が設けられ、これらローラによって記録用紙Ｐをニップし且つ排出駆動ローラ２３が回転駆動されることにより、記録用紙Ｐが、使用状態にあるスタッカ６へと排出される。
【００２３】
一方、ＤＶＤ（Digital Versatile Disk）等に代表される光ディスクＤをセット可能なディスクトレイ３３は、給紙カセット３０の上方に配置されている。ディスクトレイ３３の側端には図示しないラックが形成され、該ラックと噛合する図示しないピニオン歯車の回動により、ほぼ水平に真っ直ぐに移動できる様に構成されている。光ディスクＤへの記録実行時には、上記移動手段によってトレイ先端が搬送駆動ローラ２１と搬送従動ローラ２２とにニップされるまで搬送された後、搬送駆動ローラ２１の回転による駆動力を受けて、記録ヘッド１４の下へ所定のピッチで搬送され、記録ヘッド１４によって記録が実行される。
【００２４】
以上がプリンタ１の概略であり、以下、図３、図４、図５を参照しながらスタッカ６の構成について詳説する。ここで、図３はスタッカ６の斜視図、図４は同部分拡大図、図５はスタッカ６の構成を簡略化した模式図である。  
図３に示すように、スタッカ６は、メインスタッカ７と、サブスタッカ８及びサブスタッカ９を備えて構成されている、即ち、サブスタッカ８，９は非使用状態においてはメインスタッカ７に収納されていて、使用時に、メインスタッカ７からサブスタッカ８，９が装置手前に向けて引き出されることによって、広いスタック面が形成される構成（３段構成）となっている。メインスタッカ７には、その中央部に開口部７ａが形成され、当該開口部７ａにより、サブスタッカ９に形成された凹部９ａに指をかけてサブスタッカ９を引き出すことができるとともに、サブスタッカ９を引き出すことによってサブスタッカ８をも同時に引き出すことができる様になっている。
【００２５】
メインスタッカ７は、装置本体に対して図示しない回動軸を介して回動可能に設けられ、非使用状態では、図１にも示した様に略垂直に立設された姿勢をとり、使用状態では、図示する様に水平からやや上を向いた姿勢をとる様に設けられている。  
ここで、メインスタッカ７には、符号３８、３９で示す磁石が設けられ、これら磁石により、装置本体側における樹脂フレーム２の裏側に設けられた図示しない金属フレームに、メインスタッカ７が吸着される様になっている。これにより、スタッカ６は、非使用時には不用意に回動する様なことがないとともに、例えば突起等によってロック手段を構成する様な場合に比して、部材の摩耗や破損といった問題が無く、長期に渡って確実にスタッカ６の装置本体への保持手段を構成することができる。また、高い部品精度も要求されないことから、低コスト化を図ることもできる。
【００２６】
次に、図４に示すように、プリンタ１の装置本体側に設けられた給紙カセット３０の手前側ほぼ中央（幅方向中央）には、永久磁石３７が設けられ、一方でスタッカ６の側においてサブスタッカ７の、永久磁石３７と対向する位置には、永久磁石３５が設けられている。  
これら永久磁石３５、３７は、以下の様な機能を発揮する。即ち、図５に示すように、「第１の磁石」としての永久磁石３７は、用紙搬送経路を側視して（スタッカ６の回動軸線方向から見て）、スタッカ６の回動軸線近傍（換言すれば、スタッカ６の基端側部分（図３の符号７ｂで示す部分）の回動領域に対向する位置）に設けられるとともに、そのＮ極３７ｂとＳ極３７ａが、プリンタの前後に位置する様に設けられている（本実施形態では、Ｎ極３７ｂがプリンタ前方側に位置している）。
【００２７】
一方、「第２の磁石」としての永久磁石３５は、永久磁石３７と同様に、用紙搬送経路を側視してスタッカ６の回動軸線近傍（換言すれば、スタッカ６の基端側部分（図３の符号７ｂで示す部分））に設けられるとともに、図５（Ａ）に示す様にスタッカ６が非使用状態においてそのＮ極３５ｂとＳ極３５ａが、上下方向に位置する様に設けられている（本実施形態では、Ｎ極３７ｂが下方に位置している）。
【００２８】
また、この状態（スタッカ６の非使用状態）においては、永久磁石３５のＮ極３５ｂが、永久磁石３７のＳ極３７ａに最も近接する様に配置されていて、これにより、スタッカ６の非使用状態においては、永久磁石３５と永久磁石３７とが引き寄せ合い、サブスタッカ８はプリンタ１の装置本体側に引き寄せられ、メインスタッカ７に収納された状態が維持される。
【００２９】
一方、この状態から、図５（Ｂ）に示す様にスタッカ６が使用状態となるべく回動すると、これに伴って永久磁石３５のＮ極３５ｂが、永久磁石３７のＮ極３７ｂに最も近接し、これにより、スタッカ６の使用状態においては永久磁石３５と永久磁石３７とが反発し、サブスタッカ８に、プリンタ１の装置本体から離れる方向の力即ちメインスタッカ７から引き出される方向の力が作用する。尚、本実施形態では、この様な力により、サブスタッカ８がメインスタッカ７から自動的に進出する様に構成されている。
【００３０】
以上により、永久磁石３７と永久磁石３５との位置関係が、スタッカ６の非使用状態において異なる磁極が最も近接し、且つ、使用状態において同じ磁極が最も近接するように、永久磁石３７と永久磁石３５が配設されていることから、スタッカ使用時のユーザの操作性がより一層向上する様になっている。
【００３１】
尚、永久磁石３５又は３７、或いはその双方ともに、電磁石とすることもできる。また、電磁石とすることで、プリンタ１の電源投入時、或いは、その他必要な時（例えば、記録実行時）にのみ、サブスタッカ８にメインスタッカ７から進出する方向の力を付与することができ、より一層ユーザフレンドリとなる。更に、電磁石とすることで反発する力の強さを調節することができ、例えば、反発力を強力なものとすれば、ユーザの手によらずサブスタッカ８をメインスタッカ７から自動的に進出させることもでき、逆に、反発力を弱めとすることで、サブスタッカ８がメインスタッカ７から進出しないものの、ユーザが引き出す際の力をアシストして、容易にサブスタッカ８をメインスタッカ７から引き出すことが可能となる。
【産業上の利用可能性】
【００３２】
本発明は、ＦＡＸ、プリンタ等に代表される記録装置や、液体噴射装置、即ち液体を噴射するヘッドから被噴射媒体に液体を噴射して前記液体を前記被噴射媒体に付着させる装置に利用可能である。
【図面の簡単な説明】
【００３３】
【図１】本発明に係るインクジェットプリンタの斜視図。
【図２】本発明に係るインクジェットプリンタの側断面図。
【図３】スタッカの斜視図。
【図４】スタッカの部分拡大図。
【図５】スタッカの構成を簡略化した模式図。
【符号の説明】
【００３４】
１  インクジェットプリンタ、３  ハウジング、６  スタッカ、７  メインスタッカ、８、９  サブスタッカ、１１  主キャリッジガイド軸、１２  副キャリッジガイド軸、１３  キャリッジ、１４  記録ヘッド、１５  インクカートリッジユニット、１６  インクカートリッジ、２０  プラテン、２１  搬送駆動ローラ、２２  搬送従動ローラ、２３  排出駆動ローラ、２４  排出従動ローラ、２８  給送ローラ、３０  給紙カセット、３１  ホッパ、３５  永久磁石（第２の磁石）、３７  永久磁石（第１の磁石）、３８、３９  永久磁石
【図１】
2005170615.tif 000003
【図２】
2005170615.tif 000004
【図３】
2005170615.tif 000005
【図４】
2005170615.tif 000006
【図５】
2005170615.tif 000007